【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
組成物を有する熱伝達システムから潤滑剤をフラッシングする工程を含む熱伝達システムを改造する方法であって、前記潤滑剤の少なくとも一部が前記熱伝達システムから除去され、前記組成物が、
（ａ）シス−１−クロロ−３，３，３−トリフルオロプロペン（ｃｉｓ−ＨＦＣＯ−１２３３ｚｄ）、トランス−１−クロロ−３，３，３−トリフルオロプロペン（ｔｒａｎｓ−ＨＦＣＯ−１２３３ｚｄ）、又はこれらの組合せ；及び
（ｂ）二酸化炭素、１，３，３，３−テトラフルオロプロペン（ＨＦＯ−１２３４ｚｅ）、１，１，１，２−テトラフルオロエタン（ＨＦＣ−１３４ａ）、ジフルオロエタン（ＨＦＣ−１５２ａ）、Ｃ１〜Ｃ４アルコール、又はこれらの任意の２種以上の組合せ；
を含み、
前記組成物が、約５００以下の地球温暖化係数（ＧＷＰ）及び０．０５以下のオゾン層破壊係数（ＯＤＰ）を有する、方法。
【請求項２】
前記組成物がｔｒａｎｓ−ＨＦＣＯ−１２３３ｚｄを含む、請求項１に記載の方法。
【請求項３】
前記組成物がＨＦＯ−１２３４ｚｅを含む、請求項２に記載の方法。
【請求項４】
前記ＨＦＯ−１２３４ｚｅが、シス−ＨＦＯ−１２３４ｚｅ、トランス−ＨＦＯ−１２３４ｚｅ、又はこれらの組合せを含む、請求項３に記載の方法。
【請求項５】
前記ＨＦＯ−１２３４ｚｅが、トランス−ＨＦＯ−１２３４ｚｅを含む、請求項３に記載の方法。
【請求項６】
前記組成物が、１〜９９重量％のＨＦＯ−１２３４ｚｅを含む、請求項３〜５のいずれかに記載の方法。
【請求項７】
前記組成物が、１〜２０重量％のＨＦＯ−１２３４ｚｅを含む、請求項３〜５のいずれかに記載の方法。
【請求項８】
前記組成物が、８０〜９９重量％のＨＦＯ−１２３４ｚｅを含む、請求項３〜５のいずれかに記載の方法。
【請求項９】
前記組成物が、２０〜８０重量％のＨＦＣＯ−１２３３ｚｄ及び２０〜８０重量％のＨＦＯ−１２３４ｚｅを含む、請求項３〜５のいずれかに記載の方法。
【請求項１０】
前記組成物が、二酸化炭素を含む、請求項２〜９のいずれかに記載の方法。
【請求項１１】
前記組成物が、１〜９９重量％の二酸化炭素を含む、請求項１０に記載の方法。
【請求項１２】
前記組成物が、１０〜９０重量％の二酸化炭素を含む、請求項１０に記載の方法。
【請求項１３】
前記組成物が、１０〜８０重量％の二酸化炭素を含む、請求項１０に記載の方法。
【請求項１４】
前記組成物が、５〜６０重量％の二酸化炭素を含む、請求項１０に記載の方法。
【請求項１５】
前記組成物が、ＨＦＣ−１３４ａ及び／又はＨＦＣ−１５２ａを含む、請求項２〜１４のいずれかに記載の方法。
【請求項１６】
前記組成物が、１〜９９重量％のＨＦＣ−１３４ａ及び／又はＨＦＣ−１５２ａを含む、請求項１５に記載の方法。
【請求項１７】
前記組成物が、１〜７０重量％のＨＦＣ−１３４ａ及び／又はＨＦＣ−１５２ａを含む、請求項１５に記載の方法。
【請求項１８】
前記組成物が、メタノール、エタノール、イソプロパノール、及びこれらの組み合わせからなる群から選ばれるＣ１〜Ｃ４アルコールをさらに含む、請求項２〜１７のいずれかに記載の方法。
【請求項１９】
前記組成物が、１〜５０重量％のアルコールを含む、請求項１８に記載の方法。
【請求項２０】
前記組成物が、１〜２０重量％のアルコールを含む、請求項１８に記載の方法。
【請求項２１】
前記組成物がｃｉｓ−ＨＦＣＯ−１２３３ｚｄを含む、請求項１に記載の方法。
【請求項２２】
前記組成物が、メタノール、エタノール、イソプロパノール、及びこれらの組み合わせからなる群から選ばれるＣ１〜Ｃ４アルコールを含む、請求項２１に記載の方法。
【請求項２３】
前記組成物が、１〜５０重量％のアルコールを含む、請求項２２に記載の方法。
【請求項２４】
前記組成物が、１〜２０重量％のアルコールを含む、請求項２２に記載の方法。
【請求項２５】
前記組成物が、メタノールを含む、請求項２２〜２４のいずれかに記載の方法。
【請求項２６】
前記組成物が、エタノールを含む、請求項２２〜２５のいずれかに記載の方法。
【請求項２７】
前記組成物が、イソプロパノールを含む、請求項２２〜２６のいずれかに記載の方法。
【請求項２８】
前記組成物が、二酸化炭素、ＨＦＯ−１２３４ｚｅ、ＨＦＣ−１３４ａ、ＨＦＣ−１５２ａ、又はこれらの組合せを含む、請求項２１〜２７のいずれかに記載の方法。
【請求項２９】
前記組成物が、１〜９９重量％の二酸化炭素、ＨＦＯ−１２３４ｚｅ、ＨＦＣ−１３４ａ、ＨＦＣ−１５２ａ、又はこれらの組合せを含む、請求項２８に記載の方法。
【請求項３０】
前記ＨＦＯ−１２３４ｚｅが、シス−ＨＦＯ−１２３４ｚｅ、トランス−ＨＦＯ−１２３４ｚｅ、又はこれらの組合せを含む、請求項２８又は２９に記載の方法。
【請求項３１】
前記ＨＦＯ−１２３４ｚｅが、トランス−ＨＦＯ−１２３４ｚｅを含む、請求項３０に記載の方法。
【請求項３２】
前記組成物が、１〜２０重量％のＨＦＯ−１２３４ｚｅを含む、請求項２８〜３１のいずれかに記載の方法。
【請求項３３】
前記組成物が、８０〜９９重量％のＨＦＯ−１２３４ｚｅを含む、請求項２８〜３１のいずれかに記載の方法。
【請求項３４】
前記組成物が、１０〜９０重量％の二酸化炭素を含む、請求項２８〜３３のいずれかに記載の方法。
【請求項３５】
前記組成物が、１〜７０重量％のＨＦＣ−１３４ａ及び／又はＨＦＣ−１５２ａを含む、請求項２８〜３４のいずれかに記載の方法。
【請求項３６】
前記潤滑剤の全てが熱伝達システムから除去される、請求項１〜３５のいずれかに記載の方法。
【請求項３７】
前記組成物が、実質的に全ての割合で鉱油及び／又はシリコーン油と混和性である、請求項１〜３６のいずれかに記載の方法。
【請求項３８】
前記組成物が、２０重量％より多い鉱油及び／又はシリコーン油と混和性である、請求項１〜３７のいずれかに記載の方法。
【請求項３９】
前記組成物が、１５０以下の地球温暖化係数（ＧＷＰ）を有する、請求項１〜３８のいずれかに記載の方法。
【請求項４０】
前記組成物が、７５以下の地球温暖化係数（ＧＷＰ）を有する、請求項１〜３９のいずれかに記載の方法。
【請求項４１】
前記組成物が、０．０２以下のオゾン層破壊係数（ＯＤＰ）を有する、請求項１〜４０のいずれかに記載の方法。
【請求項４２】
前記組成物が、約０のオゾン層破壊係数（ＯＤＰ）を有する、請求項１〜４１のいずれかに記載の方法。
【請求項４３】
前記熱伝達システムが、ＨＦＣ−１３４ａ；ジクロロジフルオロメタン（ＣＦＣ−１２）；クロロジフルロメタン（ＨＣＦＣ−２２）；ＨＦＣ−１５２ａ；ペンタフルオロエタン（ＨＦＣ−１２５）、トリフルオロエタン（ＨＦＣ−１４３ａ）及びＨＦＣ−１３４ａの組合せ；Ｒ−４０４Ａ；ジフルオロメタン（ＨＦＣ−３２）、ＨＦＣ−１２５及びＨＦＣ−１３４ａの組合せ；Ｒ−４０７Ｃ；ＨＦＣ−３２及びＨＦＣ−１２５の組合せ；Ｒ−４１０Ａ；ＣＦＣ−１２及びＨＦＣ−１５２ａの組合せ；Ｒ−５００；ＨＦＣ−１２５及びＨＦＣ−１４３ａの組合せ；Ｒ−５０７Ａ；Ｒ−４０７Ａ；及びＲ−４０７Ｄからなる群から選ばれる冷媒を含む組成物を含む、請求項１〜４２のいずれかに記載の方法。
【手続補正２】
【補正対象書類名】明細書
【補正対象項目名】０２００
【補正方法】変更
【補正の内容】
【０２００】
[00220]上記の実施例に基づくと、重要な冷却システム性能パラメータの多くは、Ｒ−１３４ａのような多くの従来用いられている冷媒に関するパラメータに比較的近接している。多くの現存する冷却システムはＲ−１３４ａなどのこれらの冷媒、又は他の冷媒用に設計されていることから、当業者は、システムに対する改造を比較的最小にして、Ｒ−１３４ａ又は同様の冷媒に対する代替として用いることができる低ＧＷＰ及び／又は低オゾン層破壊性の冷媒の実質的な利点を認識するだろう。幾つかの態様においては、本発明は、現存するシステムにおける冷媒を、システムの実質的な修正なしに、本発明の組成物、好ましくは少なくとも約９０重量％の上記に記載のＨＦＣＯ−１２３３化合物のそれぞれを含むか及び／又はこれから本質的になる組成物に置き換えることを含む、改造方法を提供することが意図される。幾つかの好ましい態様においては、置換工程は、本発明の冷媒を適応させるために、システムを実質的に再設計する必要がなく、装置の主要な部材を置換する必要がないと意味で、ドロップイン置換である。
本発明は以下の態様を含む。
［１］
（ａ）トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペン；及び
（ｂ）Ｃ１〜Ｃ４炭化水素、ハイドロフルオロカーボン（ＨＦＣ）、エーテル、アルコール、アルデヒド、ケトン、ギ酸メチル、ギ酸、水、トランス−１，２−ジクロロエチレン、二酸化炭素、ジメトキシメタン（ＤＭＥ）、前記第１のフルオロアルケンと異なる第２のフルオロアルケン、及びこれらの任意の２種以上の組合せからなる群から選択される少なくとも１種類の追加の成分；
を含む組成物。
［２］
前記モノクロロトリフルオロプロペンが組成物の約５重量％〜約９５重量％の量で組成物中に存在し、前記少なくとも１種類の追加の成分が組成物の約５重量％〜約９５重量％を構成する、［１］に記載の組成物を含む発泡剤。
［３］
前記少なくとも１種類のモノクロロトリフルオロプロペンが組成物の約２０重量％〜約９０重量％の量で組成物中に存在し、前記少なくとも１種類の追加の成分が、約１５重量％〜約８５重量％の、イソペンタン、ｎ−ペンタン、シクロペンタン、ブタン、及びイソブタン、並びにこれらの組合せからなる群から選択される少なくとも１種類の炭化水素を含む、［１］に記載の組成物を含む発泡剤。
［４］
前記少なくとも１種類の追加の成分が、ギ酸メチル、水、ＣＯ２、２−エチル−１−ヘキサノール、トランス−１，２−ジクロロエチレン、及びジメトキシメタンからなる群から選択される、［１］に記載の組成物を含む発泡剤。
［５］
前記モノクロロトリフルオロプロペンが、トランス−１，１，１−トリフルオロ−３−クロロ−プロペン（トランスＨＦＣＯ−１２３３ｚｄ）及びシス−１，１，１−トリフルオロ−３−クロロ−プロペン（シスＨＦＣＯ−１２３３ｚｄ）の組み合わせを約３０：７０〜約５：９５のシス：トランス重量比で含む、［１］に記載の組成物を含む発泡剤。
［６］
前記少なくとも１種類の追加の成分が、少なくとも１種類のフルオロアルケン、少なくとも１種類のＨＦＣ、トランス−１，２−ジクロロエチレン、及びこれらの２種以上の組合せからなる群から選択される、［１］に記載の組成物を含むエアゾール。
［７］
前記少なくとも１種類の追加の成分が、少なくとも１種類のフルオロアルケン、少なくとも１種類のＨＦＣ、少なくとも１種類のＣ１〜Ｃ４アルコール、トランス−１，２−ジクロロエチレン、及びこれらの組合せを含む、［１］に記載の組成物を含む溶媒。
［８］
（ａ）トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペン；及び
（ｂ）潤滑剤、安定化剤、金属不動態化剤、腐食抑制剤、炎抑制剤、トリクロロフルオロメタン（ＣＦＣ−１１）、ジクロロジフルオロメタン（ＣＦＣ−１２）、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、ジフルオロエタン（ＨＦＣ−１５２ａ）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，３，３−ペンタフルオロブタン（ＨＦＣ−３６５ｍｆｃ）、水、ＣＯ２、及びこれらの２種以上の組合せからなる群から選択される少なくとも１種類の追加の成分；
を含む組成物。
［９］
前記組成物が少なくとも約５０重量％の少なくとも１種類のモノクロロトリフルオロプロペンを含む、［８］に記載の組成物を含む熱伝達流体。
［１０］
物質を、トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペンと接触させることによって、少なくとも１種類のアルカロイドを含む物質を溶媒抽出することを含む溶媒抽出方法。
［１１］
トランスＣＦ３ＣＨ＝ＣＣｌＨ（１２３３ｚｄＥ）、シスＣＦ３ＣＨ＝ＣＣｌＨ（１２３３ｚｄＺ）、トランスＣＨＦ２ＣＦ＝ＣＣｌＨ（１２３３ｙｄＥ）、シスＣＨＦ２ＣＦ＝ＣＣｌＨ（１２３３ｙｄＺ）、トランスＣＨＦ２ＣＨ＝ＣＣｌＦ（１２３３ｚｂＥ）、シスＣＨＦ２ＣＨ＝ＣＣｌＦ（１２３３ｚｂＺ）、トランスＣＨＦ２ＣＣｌ＝ＣＨＦ（１２３３ｘｅＥ）、シスＣＨＦ２ＣＣｌ＝ＣＨＦ（１２３３ｘｅＺ）、ＣＨ２ＦＣＣｌ＝ＣＦ２（１２３３ｘｃ）、トランスＣＨＦＣｌＣＦ＝ＣＦＨ（１２３３ｙｅＥ）、シスＣＨＦＣｌＣＦ＝ＣＦＨ（１２３３ｙｅＺ）、ＣＨ２ＣｌＣＦ＝ＣＦ２（１２３３ｙｃ）、ＣＦ２ＣｌＣＦ＝ＣＨ２（１２３３ｘｆ）、及びこれらの２種以上の組合せからなる群から選択される少なくとも１種類のモノクロロトリフルオロプロペンから触媒の粒子を沈殿させることを含む、固体担体上に触媒を堆積させる方法。